(57)【要約】      （修正有）【課題】マルチング材として用いられ、しかも使用箇所へ野生動物を近寄らせない植樹マットを提供する。【解決手段】樹木の根元に巻き付けられ地表面を覆うマルチング材として用いられる植樹マット３０であって、有機物からなるチップと、唐辛子が内部に詰め込まれ、有機物の繊維材からなり雨によって破れる複数の袋体Ｆと、通水性を有する不織布で形成されるとともに、チップが内部に詰め込まれ、しかも複数の袋体Ｆが内部の四隅に収容される略矩形状の収容体３２とを備え、さらに収容体３２は、端部３２ａからスリット３３が形成された分割部３４を有する二股の袋状である。【選択図】図１
0003158758.tif 000002
【実用新案登録請求の範囲】
【請求項１】
地表面を覆うマルチング材として用いられる植樹マットであって、
有機物からなるチップと、
唐辛子が内部に詰め込まれ、有機物の繊維材からなり雨によって破れる複数の袋体と、
通水性を有する不織布で形成されるとともに、前記チップが内部に詰め込まれ、しかも前記複数の袋体が内部に収容される略矩形状の収容体とを備えることを特徴とする植樹マット。
【請求項２】
地表面を覆うマルチング材として用いられる植樹マットであって、
有機物からなるチップと、
唐辛子が内部に詰め込まれ、有機物の繊維材からなり雨によって破れる複数の袋体と、
通水性を有する不織布で形成されるとともに、前記チップが内部に詰め込まれ、しかも前記複数の袋体が内部の四隅に収容される略矩形状の収容体とを備えることを特徴とする植樹マット。
【請求項３】
地表面を覆うマルチング材として用いられる植樹マットであって、
有機物からなるチップと、
唐辛子が内部に詰め込まれ、有機物の繊維材からなり雨によって破れる複数の袋体と、
通水性を有する不織布で形成されるとともに、前記チップが内部に詰め込まれ、しかも前記複数の袋体が内部の全周に収容される略矩形状の収容体とを備えることを特徴とする植樹マット。
【請求項４】
樹木の根元に巻き付けられ地表面を覆うマルチング材として用いられる植樹マットであって、
有機物からなるチップと、
唐辛子が内部に詰め込まれ、有機物の繊維材からなり雨によって破れる複数の袋体と、
通水性を有する不織布で形成されるとともに、前記チップが内部に詰め込まれ、しかも前記複数の袋体が内部の四隅に収容される略矩形状の収容体とを備え、
さらに前記収容体は、端部からスリットが形成された分割部を有する二股の袋状であることを特徴とする植樹マット。
【請求項５】
樹木の根元に巻き付けられ地表面を覆うマルチング材として用いられる植樹マットであって、
有機物からなるチップと、
唐辛子が内部に詰め込まれ、有機物の繊維材からなり雨によって破れる複数の袋体と、
通水性を有する不織布で形成されるとともに、前記チップが内部に詰め込まれ、しかも前記複数の袋体が内部の全周に収容される略矩形状の収容体とを備え、
さらに前記収容体は、端部からスリットが形成された分割部を有する二股の袋状であることを特徴とする植樹マット。
【請求項６】
樹木の根元に巻き付けられ地表面を覆うマルチング材として用いられる植樹マットであって、
有機物からなるチップと、
唐辛子が内部に詰め込まれ、有機物の繊維材からなり雨によって破れる複数の袋体と、
通水性を有する不織布で形成されるとともに、前記チップが内部に詰め込まれ、しかも前記複数の袋体が内部の全周に収容される略円形状の収容体とを備え、
さらに前記収容体は、中央部に貫通孔が形成されるとともに、端部から前記貫通孔まで延びるスリットが形成された分割部を有する二股の袋状であることを特徴とする植樹マット。
【請求項７】
前記袋体は、紙からなることを特徴とする請求項１乃至６のうちいずれか一つに記載の植樹マット。
【請求項８】
前記スリットは、前記収容体の端部から中央部を越えて形成されたことを特徴とする請求項４又は５に記載の植樹マット。
【考案の詳細な説明】
【技術分野】
【０００１】
本考案は、樹木が植えられた地表面を覆うマルチング材として用いられる植樹マットに関するものである。
【背景技術】
【０００２】
従来、山間部等で植樹された樹木の根元には、雑草の繁殖の抑制、土壌の流亡の防止、樹木の育成促進等の目的でマルチングが施されることが多く、本出願人もマルチング材として用いられる植樹マットについての実用新案登録出願を既に行っている（特許文献１）。
【先行技術文献】
【特許文献】
【０００３】
【特許文献１】登録実用新案第３１５３７２４号公報
【０００４】
特許文献１に記載の考案に係る植樹マットは、図９に示すように、分割部２４が形成された二股状の収容体２２を備えている。そして、収容体２２の内部に有機物からなるチップが詰め込まれている。
この植樹マット２０を樹木Ｔの根元に巻き付けることで、植樹マット２０の下の地表面には日光が当たらなくなるので、その場所の雑草の繁殖を抑制できる。また、チップ及び収容体２２は植樹マット２０の使用から数年で腐朽するので、その植樹マット２０がゴミとならず環境に優しい。さらに、腐朽した植樹マット２０自体が有機肥料となる。
【考案の概要】
【考案が解決しようとする課題】
【０００５】
しかしながら、冬になると緑が少なくなり、山間部に生息する野生動物の餌が減るので、山間部においては植樹されたばかりの樹木Ｔの葉や幹が、猪や鹿等の野生動物に食べられるという被害（食害）が発生してしまう。また、猪は葉だけではなく樹木Ｔの地下茎やミミズも食べるので、樹木Ｔの根元が猪に掘り返されてしまい、樹木Ｔが十分に成長できないといった問題もある。
【０００６】
そこで、本考案の目的とするところは、マルチング材として用いられ、しかも使用箇所へ野生動物を近寄らせない植樹マットを提供することにある。
【課題を解決するための手段】
【０００７】
上記の目的を達成するために、本考案の請求項１に記載の植樹マット（３０）は、地表面を覆うマルチング材として用いられる植樹マット（３０）であって、有機物からなるチップ（３１）と、唐辛子が内部に詰め込まれ、有機物の繊維材からなり雨によって破れる複数の袋体（Ｆ）と、通水性を有する不織布で形成されるとともに、前記チップ（３１）が内部に詰め込まれ、しかも前記複数の袋体（Ｆ）が内部に収容される略矩形状の収容体（３２）とを備えることを特徴とする。
【０００８】
また、請求項２に記載の植樹マット（３０）は、地表面を覆うマルチング材として用いられる植樹マット（３０）であって、有機物からなるチップ（３１）と、唐辛子が内部に詰め込まれ、有機物の繊維材からなり雨によって破れる複数の袋体（Ｆ）と、通水性を有する不織布で形成されるとともに、前記チップ（３１）が内部に詰め込まれ、しかも前記複数の袋体（Ｆ）が内部の四隅に収容される略矩形状の収容体（３２）とを備えることを特徴とする。
【０００９】
また、請求項３に記載の植樹マット（３０）は、地表面を覆うマルチング材として用いられる植樹マット（３０）であって、有機物からなるチップ（３１）と、唐辛子が内部に詰め込まれ、有機物の繊維材からなり雨によって破れる複数の袋体（Ｆ）と、通水性を有する不織布で形成されるとともに、前記チップ（３１）が内部に詰め込まれ、しかも前記複数の袋体（Ｆ）が内部の全周に収容される略矩形状の収容体（３２）とを備えることを特徴とする。
【００１０】
また、請求項４に記載の植樹マット（３０）は、樹木（Ｔ）の根元に巻き付けられ地表面を覆うマルチング材として用いられる植樹マット（３０）であって、有機物からなるチップ（３１）と、唐辛子が内部に詰め込まれ、有機物の繊維材からなり雨によって破れる複数の袋体（Ｆ）と、通水性を有する不織布で形成されるとともに、前記チップ（３１）が内部に詰め込まれ、しかも前記複数の袋体（Ｆ）が内部の四隅に収容される略矩形状の収容体（３２）とを備え、さらに前記収容体（３２）は、端部（３２ａ）からスリット（３３）が形成された分割部（３４）を有する二股の袋状であることを特徴とする。
【００１１】
また、請求項５に記載の植樹マット（３０）は、樹木（Ｔ）の根元に巻き付けられ地表面を覆うマルチング材として用いられる植樹マット（３０）であって、有機物からなるチップ（３１）と、唐辛子が内部に詰め込まれ、有機物の繊維材からなり雨によって破れる複数の袋体（Ｆ）と、通水性を有する不織布で形成されるとともに、前記チップ（３１）が内部に詰め込まれ、しかも前記複数の袋体（Ｆ）が内部の全周に収容される略矩形状の収容体（３２）とを備え、さらに前記収容体（３２）は、端部（３２ａ）からスリット（３３）が形成された分割部（３４）を有する二股の袋状であることを特徴とする。
【００１２】
また、請求項６に記載の植樹マット（３０）は、樹木（Ｔ）の根元に巻き付けられ地表面を覆うマルチング材として用いられる植樹マット（３０）であって、有機物からなるチップ（３１）と、唐辛子が内部に詰め込まれ、有機物の繊維材からなり雨によって破れる複数の袋体（Ｆ）と、通水性を有する不織布で形成されるとともに、前記チップ（３１）が内部に詰め込まれ、しかも前記複数の袋体（Ｆ）が内部の全周に収容される略円形状の収容体（３２）とを備え、さらに前記収容体（３２）は、中央部（３２ｃ）に貫通孔（３５）が形成されるとともに、端部（３２ａ）から前記貫通孔（３５）まで延びるスリット（３３）が形成された分割部（３４）を有する二股の袋状であることを特徴とする。
【００１３】
また、請求項７に記載の植樹マット（３０）は、前記袋体（Ｆ）は、紙からなることを特徴とする。
【００１４】
また、請求項８に記載の植樹マット（３０）は、前記スリット（３３）は、前記収容体（３２）の端部（３２ａ）から中央部（３２ｃ）を越えて形成されたことを特徴とする。
【００１５】
ここで、上記括弧内の記号は、図面および後述する考案を実施するための形態に掲載された対応要素または対応事項を示す。
【考案の効果】
【００１６】
本考案の請求項１に記載の植樹マットによれば、地表面を覆うように使用されるので、植樹マットに覆われた地表面には日光が届かず、その場所には雑草が繁殖し難い。また、雨が降っても植樹マットの下の土壌が流亡してしまわない。
また、有機物からなるチップと、通水性を有する不織布で形成されるとともに、チップが内部に詰め込まれる収容体とを備えるので、植樹マットは全て施工から数年で腐朽し、ゴミが発生せず環境に優しい。また、腐朽した植樹マット自体が有機肥料となるので、樹木の成長が促進される。
さらに、唐辛子が内部に詰め込まれた、例えば紙（請求項７）からなる袋体が、収容体には収容されるので、唐辛子の刺激臭によって、この植樹マットを使用した樹木へ野生動物を近寄らせず、樹木が野生動物に食べられ難くなる。また、刺激臭によって、猪が植樹マット周辺の土を掘り返すこともないので、樹木の根が傷つかず、樹木が十分に成長することができる。また、唐辛子が詰め込まれた袋体は雨によって破れるので、効率的に唐辛子の刺激臭が拡散し、野生動物を寄せ付けない。しかも、唐辛子は有機物であるので、野生動物を近寄らせない効果を有していても、自然環境を汚染しない。
【００１７】
また、請求項２に記載の植樹マットによれば、有機物からなるチップと、唐辛子が内部に詰め込まれ、有機物の繊維材からなり雨によって破れる複数の袋体と、通水性を有する不織布で形成されるとともに、チップが内部に詰め込まれ、しかも複数の袋体が内部の四隅に収容される略矩形状の収容体とを備えるので、収容体に収容された袋体が収容体の一部分に偏在することがなく、袋体内の唐辛子の刺激臭が広範囲に拡散する。よって、確実に野生動物から樹木を守ることができる。
もちろん、雑草の繁殖抑制性、環境性は良好である。
【００１８】
また、請求項３に記載の植樹マットによれば、唐辛子が内部に詰め込まれた複数の袋体が、内部の全周に収容される略矩形状の収容体を備えるので、収容体に収容された袋体が収容体の一部分に偏在することがなく、袋体内の唐辛子の刺激臭が広範囲に拡散する。よって、確実に野生動物から樹木を守ることができる。
【００１９】
また、請求項４に記載の植樹マットによれば、有機物からなるチップと、通水性を有する不織布で形成されるとともに、チップが内部に詰め込まれる収容体を備えるので、自然に優しいマルチング材として使用できる。また、唐辛子が内部に詰め込まれた複数の袋体が、収容体の四隅に収容されるので、袋体が収容体の一部分に偏在することがなく、袋体内の唐辛子の刺激臭が広範囲に拡散する。よって、確実に野生動物から樹木を守ることができる。
さらに、収容体は、端部からスリットが形成された分割部を有する二股の袋状であるので、分割部で樹木の根元を挟んで分割部を根元に巻き付けることができる。よって、強風が吹いたり大雨が降ったりしても、植樹マットは樹木から外れ難い。
【００２０】
また、請求項５に記載の植樹マットによれば、有機物からなるチップと、通水性を有する不織布で形成されるとともに、チップが内部に詰め込まれる収容体を備えるので、自然に優しいマルチング材として使用できる。
また、収容体は、端部からスリットが形成された分割部を有する二股の袋状であるので、分割部で樹木の根元を挟んで分割部を根元に巻き付けることができる。さらに、唐辛子が内部に詰め込まれた複数の袋体が、収容体の全周に収容されるので、この植樹マットを樹木の根元に巻き付けたとき、樹木の根元全周を唐辛子で囲むことになる。よって、確実に野生動物から樹木を守ることができる。もちろん、植樹マットを樹木の根元に巻き付けているので、植樹マットが樹木から外れ難い。
【００２１】
また、請求項６に記載の植樹マットによれば、有機物からなるチップと、通水性を有する不織布で形成されるとともに、チップが内部に詰め込まれる略円形状の収容体とを備えるので、自然に優しいマルチング材として使用できる。
また、収容体は、中央部に貫通孔が形成されるとともに、端部から貫通孔まで延びるスリットが形成された分割部を有する二股の袋状であるので、貫通孔の周面が樹木の根元に沿うように植樹マットを樹木に装着することができる。よって、樹木が貫通孔の径より太い場合でもスリットが最小限しか開かないので、植樹マットはより外れ難い。もちろん、樹木が貫通孔の径より細い場合には、装着時においてスリットは元々形成された幅以上には広がらないので、植樹マットは外れ難い。
また、唐辛子が内部に詰め込まれ、有機物の繊維材からなり雨によって破れる複数の袋体を収容体内部の全周に収容するので、確実に野生動物から樹木を守ることができる。
【００２２】
また、請求項８に記載の植樹マットによれば、収容体の端部から中央部を越えて形成されたので、分割部で深く樹木の根元を挟むことができる。よって、強風が吹いても、植樹マットがより外れ難い。
【００２３】
なお、本考案の植樹マットのように、有機物からなるチップと、唐辛子が内部に詰め込まれ、有機物の繊維材からなり雨によって破れる複数の袋体と、通水性を有する不織布で形成されるとともに、チップが内部に詰め込まれ、複数の袋体が内部に収容される収容体を備える点は、上述した特許文献１には全く記載されていない。
【図面の簡単な説明】
【００２４】
【図１】本考案の第一実施形態に係る植樹マットを示す平面図である。
【図２】図１に示す植樹マットにおけるＡ−Ａ線断面図である。
【図３】図１に示す植樹マットの使用状態を示す平面図である。
【図４】本考案の第二実施形態に係る植樹マットの使用状態を示す斜視図である。
【図５】他の実施形態に係る植樹マットを示す平面図である。
【図６】さらに他の実施形態に係る植樹マットを示す平面図である。
【図７】さらに他の実施形態に係る植樹マットの使用状態を示す平面図である。
【図８】さらに他の実施形態に係る植樹マットの使用状態を示す斜視図である。
【図９】植樹マットの使用状態を示す斜視図である。
【考案を実施するための形態】
【００２５】
（第一実施形態）
図１乃至図３、及び図９を参照して、本考案の第一実施形態に係る植樹マット３０を説明する。
この植樹マット３０は、樹木Ｔが植えられた地表面を覆うマルチング材として用いられる植樹マット３０であって、チップ３１と、袋体Ｆと、収容体３２と、を備えるものである。
【００２６】
チップ３１は、有機物からなる。具体的には、木材メーカー等から廃材として出された木片や、間伐材を粉砕等してなる木屑である。
【００２７】
袋体Ｆは、３ｇ程度の唐辛子（図示しない）が内部に詰め込まれるものであって、紙からなる。この紙は、一定量の雨で濡れると破れてしまう程度の厚さ及び強度である。
袋体Ｆの形状は、頂角が略直角の略二等辺三角形であり、唐辛子が中に詰め込まれたときの厚さは数ｍｍ〜１ｃｍ程度になる。このような袋体Ｆが四つ設けられている。
ここで用いられている唐辛子は、本来は廃棄処分されている、唐辛子収穫後の葉、茎、根、又は売り物にはならない形の悪い実である。もちろん、形の良い実であってもよい。これらをフードプロセッサーや破砕機等で一片が数ｍｍ〜数ｃｍの粗微塵切りにして、袋体Ｆに詰め込まれている。
なお、袋体Ｆを用いず収容体３２に直接唐辛子を詰め込むと、収容体３２は袋体Ｆより目が粗いので、植樹マット３０の製造時及び使用時に、作業者が不快になるほどに刺激臭が拡散してしまう。よって、作業者保護のために袋体Ｆは必須である。
【００２８】
収容体３２は、外形が略正方形であって、端部３２ａ（正方形の一辺の中央）から中央部３２ｃを越える箇所までの深いスリット３３が形成された不織布を二枚重ねて外周を縫合されてなる。つまり、収容体３２は二股の袋状であり、ここではその二股状部分を分割部３４と呼ぶ。
ここで、収容体３２は不織布からなるので、通水性及び通気性を有する。なお、この不織布は生分解性である。
このような収容体３２の内部には、図２に示すように、チップ３１が詰め込まれる。さらに収容体３２の内部であって略正方形の四隅にあたる部分に、それぞれ袋体Ｆの頂角が対応するように袋体Ｆが配置され、収容されている。
なお、収容体３２へのチップ３１及び袋体Ｆの収容は、スリット３３が形成された端部３２ａの反対側の他端３２ｂを開口した状態で行い、チップ３１及び袋体Ｆの収容後はその開口した他端３２ｂを糸で縫い合わせる。
【００２９】
このような植樹マット３０は、図３及び図９に示すように、植樹マット３０のスリット３３で樹木Ｔの根元を挟み、樹木Ｔが植えられた地表面を覆うようにして、樹木Ｔに取付けられる。このとき、樹木Ｔの根元から植樹マット３０を外れ難くするために、分割部３４を樹木Ｔの根元全周に巻き付けるようにして分割部３４を互いに重ねる。
【００３０】
以上のように構成された植樹マット３０によれば、地表面を覆うように使用されるので、植樹マット３０に覆われた地表面には日光が届かず、その場所には雑草が繁殖し難い。また、雨が降っても植樹マット３０の下の土壌が流亡してしまわない。
また、有機物からなるチップ３１と、通水性を有する不織布で形成されるとともに、チップ３１が内部に詰め込まれる収容体３２を備えるので、植樹マット３０は全て使用から数年で腐朽し、ゴミが発生せず環境に優しい。また、腐朽した植樹マット３０自体が有機肥料となるので、樹木Ｔの成長が促進される。
したがって、このような植樹マット３０は、自然に優しいマルチング材として使用することができる。
【００３１】
また、収容体３２は、端部３２ａからスリット３３が形成された分割部３４を有する二股の袋状であるので、分割部３４で樹木Ｔの根元を深く挟み、分割部３４を根元に巻き付けることができる。よって、強風が吹いたり大雨が降ったりしても、植樹マット３０は樹木Ｔから外れ難い。また、雨水が植樹マット３０の中央部３２ｃに集まり易くなり、樹木Ｔの育成促進を図ることもできる。
【００３２】
さらに、唐辛子が内部に詰め込まれた袋体Ｆが、収容体３２に収容されているので、唐辛子の刺激臭によって、この植樹マット３０を使用した樹木Ｔへ猪等の野生動物を近寄らせず、樹木Ｔが野生動物に食べられ難くなる。また、猪が植樹マット３０周辺の土を掘り返すこともないので、樹木Ｔが十分に成長することができる。
また、袋体Ｆの収容箇所は収容体３２の四隅であるので、袋体Ｆが収容体３２の一部分に偏在することがなく、しかも樹木Ｔの根元を唐辛子で囲むことになるので、確実に野生動物を樹木Ｔに近寄らせない。
【００３３】
また、収容体３２は通水性を有する不織布で形成されるので、雨水が内部の袋体Ｆまで達することができる。さらに、唐辛子が詰め込まれた袋体Ｆは雨によって破れるので、効率的に唐辛子の刺激臭が拡散する。なお、紙はビニル袋等よりは通気性を有するので、紙からなる袋体Ｆが破れていない植樹マット３０の使用開始直後であっても、植樹マット３０は野生動物を寄せ付けない。
【００３４】
また、唐辛子を粗微塵切りにして使用したので、唐辛子を切らずにそのまま使用した場合と比べて刺激臭の拡散効果が高く、一方、より細かく微塵切りにした場合と比べて長期間刺激臭が拡散し続ける。
さらに、唐辛子を使用することで、野生動物だけではなく、病害虫も樹木Ｔに近寄らせない。
しかも、唐辛子は有機物であるので、野生動物や病害虫を近寄らせない効果を有していても、自然環境を汚染しない。
【００３５】
（第二実施形態）
次に図４を参照して、本考案の第二実施形態に係る植樹マット３０を説明する。なお、第一実施形態と同一部分には同一符号を付した。
本実施形態の第一実施形態との違いは、袋体Ｆと収容体３２の形状、及び袋体Ｆの収容箇所であり、その他の構成要素に関しては第一実施形態と同一である。
【００３６】
袋体Ｆの個々は略矩形状であり、植樹マット３０一つにつき、複数（ここでは六個）用いられる。
収容体３２は、外形が略円形状で、中央部３２ｃに貫通孔３５が形成されている。そして、収容体３２端部３２ａから貫通孔３５までスリット３３が延びて二股の袋状となり、分割部３４が形成されている。つまり、収容体３２は平面略Ｃ字状となっている。
このような収容体３２の内部全周に唐辛子が入った袋体Ｆが配置され、収容体３２に収容されている。
【００３７】
本実施形態の植樹マット３０によると、収容体３２は、中央部３２ｃに貫通孔３５が形成されるとともに、端部３２ａから貫通孔３５まで延びるスリット３３が形成された分割部３４を有する二股の袋状であるので、貫通孔３５の周面が樹木Ｔの根元に沿うように植樹マット３０を樹木Ｔに装着することができる。よって、樹木Ｔが貫通孔３５の径より太い場合でもスリット３３が最小限しか開かないので、本実施形態に係る植樹マット３０は第一実施形態に係る植樹マット３０よりも外れ難い。もちろん、樹木Ｔが貫通孔３５の径より細い場合には、装着時においてスリット３３は元々形成された幅以上には広がらないので、植樹マット３０は外れ難い。
また、収容体３２の内部全周に袋体Ｆが収容されているので、樹木Ｔの根元全周を唐辛子で囲むことになる。よって、確実に野生動物から樹木Ｔを守ることができる。
もちろん、この植樹マット３０は第一実施形態に係るものと同様に、自然に優しいマルチング材でもある。
【００３８】
なお、第一実施形態において、袋体Ｆは収容体３２の四隅に収容されたとしたが、これに限られるものではなく、図５に示すように、矩形状の全周に収容してもよい。また、図６に示すように、袋体Ｆを収容体３２に収容可能な範囲において大きいものとしてもよい。一方、これとは逆に、小さい袋体Ｆが多数（例えば十個）、収容体３２に詰め込まれていてもよい。
また、袋体Ｆの収容位置は、収容体３２の四隅や全周に限られるものではなく、収容体３２内に散在させていてもよい。
【００３９】
また、分割部３４を樹木Ｔの根元全周に巻き付けるようにして、単に分割部３４を互いに重ねたが、使用状態はこれに限られるものではなく、図７に示すように、二つの分割部３４先端のそれぞれに紐３６を設けておき、紐３６を互いに結ぶことで、分割部３４を連結した状態に保持してもよい。こうすることで、植樹マット３０は樹木Ｔから一層外れ難い。
【００４０】
また、スリット３３は、収容体３２の端部３２ａから中央部３２ｃを越えて形成されたとしたが、第一実施形態に係るものより浅いスリット３３であってもよい。
【００４１】
さらに、植樹マット３０の外形は、第一実施形態や第二実施形態のように二股のものに限られるものではなく、図８に示すように、略矩形状の、枕のようなものであってもよい。
【００４２】
また、袋体Ｆは紙からなるものに限られず、有機物の繊維材からなり、雨によって破れるものであればよい。
また、袋体Ｆの内部には唐辛子が詰め込まれたとしたが、これに限られるものではなく、ワサビ、ハーブ等の他の刺激の強い有機物が詰め込まれてもよい。
また、収容体３２は不織布で形成されるとしたが、これに限られるものではなく、綿等の有機物の繊維材であってもよい。
【符号の説明】
【００４３】
２０      植樹マット
２２      収容体
２４      分割部
３０      植樹マット
３１      チップ
３２      収容体
３２ａ    端部
３２ｂ    他端
３２ｃ    中央部
３３      スリット
３４      分割部
３５      貫通孔
３６      紐
Ｆ      袋体
Ｔ      樹木
【図１】
0003158758.tif 000003
【図２】
0003158758.tif 000004
【図３】
0003158758.tif 000005
【図４】
0003158758.tif 000006
【図５】
0003158758.tif 000007
【図６】
0003158758.tif 000008
【図７】
0003158758.tif 000009
【図８】
0003158758.tif 000010
【図９】
0003158758.tif 000011